(57)【特許請求の範囲】
【請求項１】
一対の縦枠を有した釣合おもり枠と、一対の前記縦枠の間に設けられ、高さ方向に延びた通しボルトと、前記一対の縦枠の間に渡って設けられ、前記通しボルトが挿入される貫通孔が形成された釣合おもりとを備えたエレベータ釣合おもり本体に取り付けられるエレベータ釣合おもり装置用調整おもりであって、
一対の前記縦枠の間に渡って設けられ、前記釣合おもり枠の幅方向に間隔をおいて並べられた複数の調整おもり本体と、
隣り合う前記調整おもり本体の間の距離が調整可能となるように、隣り合う前記調整おもり本体を連結する連結装置と
を備えていることを特徴とするエレベータ釣合おもり装置用調整おもり。
【請求項２】
前記連結装置は、隣り合う前記調整おもり本体の少なくとも一方に着脱可能となっていることを特徴とする請求項１に記載のエレベータ釣合おもり装置用調整おもり。
【請求項３】
前記連結装置は、隣り合う前記調整おもり本体に渡って設けられたボルト部材を有し、前記ボルト部材が周方向に回転することによって、隣り合う前記調整おもり本体の間の距離が調整されることを特徴とする請求項１または請求項２に記載のエレベータ釣合おもり装置用調整おもり。
【請求項４】
前記連結装置は、隣り合う前記調整おもり本体に渡って設けられた一対のボルト部材を有し、
一対の前記ボルト部材は、前記釣合おもり枠の奥行方向に前記通しボルトを挟むことを特徴とする請求項１から請求項３までの何れか一項に記載のエレベータ釣合おもり装置用調整おもり。
【発明の詳細な説明】
【技術分野】
【０００１】
この発明は、エレベータ釣合おもり本体に取り付けられるエレベータ釣合おもり装置用調整おもりに関する。
【背景技術】
【０００２】
従来、一対の縦枠を有した釣合おもり枠と、一対の縦枠の間であって幅方向に離れて設けられ、高さ方向に延びた２本の通しボルトと、一対の縦枠に渡って設けられた釣合おもりとを備えたエレベータ釣合おもり本体に取り付けられるエレベータ釣合おもり装置用調整おもりであって、一対の縦枠の間に設けられ、釣合おもり枠の幅方向に並べて配置された一対の調整おもり本体を備えたエレベータ釣合おもり装置用調整おもりが知られている。それぞれの調整おもり本体における長手方向についての寸法は、一対の縦枠の間の寸法を２分割した寸法となっており、それぞれの調整おもり本体の縦枠側の端部には、通しボルトが挿入される溝が釣合おもり枠の幅方向に延びて形成されている（例えば、特許文献１参照）。
【先行技術文献】
【特許文献】
【０００３】
【特許文献１】特開２００５−１５１３６号公報
【発明の概要】
【発明が解決しようとする課題】
【０００４】
しかしながら、調整用おもり本体における長手方向についての寸法が一定となっているので、釣合おもり枠の幅方向の寸法が異なるエレベータ釣合おもり装置に用いることができず、エレベータ釣合おもり装置用調整おもりの汎用性がないという問題点があった。
【０００５】
この発明は、汎用性を向上させることができるエレベータ釣合おもり装置用調整おもりを提供するものである。
【課題を解決するための手段】
【０００６】
この発明に係るエレベータ釣合おもり装置用調整おもりは、一対の縦枠を有した釣合おもり枠と、一対の縦枠の間に設けられ、高さ方向に延びた通しボルトと、一対の縦枠に渡って設けられ、通しボルトが挿入される貫通孔が形成された釣合おもりとを備えたエレベータ釣合おもり本体に取り付けられるエレベータ釣合おもり装置用調整おもりであって、一対の縦枠の間に設けられ、釣合おもり枠の幅方向に間隔をおいて並べられた複数の調整おもり本体と、隣り合う調整おもり本体の間の距離が調整可能となるように、隣り合う調整おもり本体を連結する連結装置とを備えている。
【発明の効果】
【０００７】
この発明に係るエレベータ釣合おもり装置用調整おもりによれば、一対の縦枠の間に設けられ、釣合おもり枠の幅方向に間隔をおいて並べられた複数の調整おもり本体と、隣り合う調整おもり本体の間の距離が調整可能となるように、隣り合う調整おもり本体を連結する連結装置とを備えているので、釣合おもり枠の幅方向の寸法が異なるエレベータ釣合おもり装置に用いることができる。その結果、エレベータ釣合おもり装置用調整おもりの汎用性を向上させることができる。
【図面の簡単な説明】
【０００８】
【図１】この発明の実施の形態１に係るエレベータ釣合おもり装置を示す正面図である。
【図２】図１の調整おもりを示す平面図である。
【図３】この発明の実施の形態２に係る調整おもりを示す平面図である。
【発明を実施するための形態】
【０００９】
実施の形態１．
図１はこの発明の実施の形態１に係るエレベータ釣合おもり装置を示す正面図である。図において、エレベータ釣合おもり装置は、釣合おもり枠１と、釣合おもり枠１に取り付けられた一対の通しボルト２と、釣合おもり枠１の内側に設けられた複数の釣合おもり３と、釣合おもり３の上に載せられる調整おもり（エレベータ釣合おもり装置用調整おもり）４Ａとを備えている。釣合おもり枠１、通しボルト２および釣合おもり３からエレベータ釣合おもり本体が構成されている。
【００１０】
釣合おもり枠１は、高さ方向に延び幅方向に離れて配置された一対の縦枠１１と、一対の縦枠１１の上端部を連結する上枠１２と、一対の縦枠１１の下端部を連結する下枠１３とを有している。
【００１１】
一対の通しボルト２は、高さ方向に延びるとともに、釣合おもり枠１の幅方向に離れて配置されている。また、一対の通しボルト２は、一対の縦枠１１の間を通っている。それぞれの通しボルト２は、上端部がナットを用いて上枠１２に固定され、下端部がナットを用いて下枠１３に固定されている。
【００１２】
複数の釣合おもり３は、下枠１３の上に重ねて配置されている。釣合おもり３は、一対の縦枠１１に渡って配置されている。釣合おもり３は、長手方向両端部が縦枠１１に係合されている。これにより、釣合おもり３は、釣合おもり枠１の奥行方向についての移動が規制されている。ここで、釣合おもり枠１の奥行方向とは、釣合おもり枠１を上方から見た場合に、釣合おもり枠１の幅方向に垂直な方向である。また、釣合おもり３は、釣合おもり枠１の幅方向についての移動も縦枠１１によって規制されている。
【００１３】
調整おもりＡ４は、重ねられた複数の釣合おもり３の上に重ねられている。図２は図１の調整おもり４を示す平面図である。調整おもり４Ａは、一対の縦枠１１の間に設けられ釣合おもり枠１（図１）の幅方向に間隔をおいて並べられた調整おもり本体４１、調整おもり本体４２および調整おもり本体４３と、調整おもり本体４１と調整おもり本体４２とを連結する連結装置４４と、調整おもり本体４２と調整おもり本体４３とを連結する連結装置４５とを備えている。調整おもり本体４１、調整おもり本体４２および調整おもり本体４３は、調整おもり本体４１、調整おもり本体４２および調整おもり本体４３の順に並べられている。
【００１４】
調整おもり本体４１には、一方の縦枠１１に形成された凹部１１１に係合するように、縦枠１１に向かって突出した突出部４１１が形成されている。突出部４１１が凹部１１１に係合することによって、調整おもり本体４１は、釣合おもり枠１の奥行方向についての移動が規制される。また、調整おもり本体４１は、釣合おもり枠１の幅方向外側についての移動も縦枠１１によって規制されている。
【００１５】
調整おもり本体４１における調整おもり本体４２側の面には、２個の穴４１２が形成されている。２個の穴４１２は、釣合おもり枠１の奥行方向に離れて配置されている。それぞれの穴４１２は、釣合おもり枠１の幅方向に延びて形成されている。
【００１６】
調整おもり本体４３には、調整おもり本体４１と同様に、他方の縦枠１１に形成された凹部１１１に係合するように、縦枠１１に向かって突出した突出部４３１が形成されている。突出部４３１が凹部１１１に係合することによって、調整おもり本体４３は、釣合おもり枠１の奥行方向についての移動が規制される。また、調整おもり本体４３は、釣合おもり枠１の幅方向外側についての移動も縦枠１１によって規制されている。
【００１７】
調整おもり本体４３における調整おもり本体４２側の面には、２個の穴４３２が形成されている。２個の穴４３２は、釣合おもり枠１の奥行方向に離れて配置されている。それぞれの穴４３２は、釣合おもり枠１の幅方向に延びて形成されている。
【００１８】
調整おもり本体４２には、２個の貫通孔４２１が形成されている。２個の貫通孔４２１は、釣合おもり枠１の奥行方向に離れて配置されている。それぞれの貫通孔４２１は、釣合おもり枠１の幅方向に延びて形成されている。
【００１９】
連結装置４４は、調整おもり本体４１と調整おもり本体４２とに渡って設けられた一対のボルト部材４４１と、それぞれのボルト部材４４１に固定された固定ナット４４２と、それぞれのボルト部材４４１に回転可能に設けられた回転ナット４４３とを有している。ボルト部材４４１の直径は、穴４１２および貫通孔４２１のそれぞれの直径よりも小さくなっている。連結装置４４は、調整おもり本体４１および調整おもり本体４２に対して着脱可能となっている。
【００２０】
ボルト部材４４１の一端部は、穴４１２に挿入されている。ボルト部材４４１の一端部は、穴４１２の底面に当接している。ボルト部材４４１の他端部は、貫通孔４２１に挿入されている。回転ナット４４３は、固定ナット４４２と調整おもり本体４２との間に配置されている。回転ナット４４３が調整おもり本体４２に当接することによって、ボルト部材４４１が貫通孔４２１に挿入される方向についてのボルト部材４４１の移動が規制される。つまり、回転ナット４４３によって、貫通孔４２１へのボルト部材４４１の挿入深さが決められる。回転ナット４４３がボルト部材４４１に対して周方向に回転することによって、貫通孔４２１へのボルト部材４４１の挿入深さが調整される。回転ナット４４３をボルト部材４４１に対して周方向に回転させる場合には、固定ナット４４２を保持して、ボルト部材４４１が回転ナット４４３とともに回転することを防止する。貫通孔４２１へのボルト部材４４１の挿入深さが調整されることによって、調整おもり本体４１と調整おもり本体４２との間の距離が調整される。
【００２１】
一対のボルト部材４４１は、釣合おもり枠１の奥行方向に通しボルト２を挟んでいる。これにより、調整おもり４が釣合おもり枠１から外れてしまうことが防止されている。
【００２２】
連結装置４５は、連結装置４４と同様に、調整おもり本体４２と調整おもり本体４３とに渡って設けられた一対のボルト部材４５１と、それぞれのボルト部材４５１に固定された固定ナット４５２と、それぞれのボルト部材４５１に回転可能に設けられた回転ナット４５３とを有している。連結装置４５は、調整おもり本体４２および調整おもり本体４３に対して着脱可能となっている。
【００２３】
ボルト部材４５１の一端部は、穴４３２に挿入されている。ボルト部材４５１の一端部は、穴４３２の底面に当接している。ボルト部材４５１の他端部は、貫通孔４２１に挿入されている。回転ナット４５３は、固定ナット４５２と調整おもり本体４２との間に配置されている。回転ナット４５３が調整おもり本体４２に当接することによって、ボルト部材４５１が貫通孔４２１に挿入される方向についてのボルト部材４５１の移動が規制される。つまり、回転ナット４５３によって、貫通孔４２１へのボルト部材４５１の挿入深さが決められる。回転ナット４５３がボルト部材４５１に対して周方向に回転することによって、貫通孔４２１へのボルト部材４５１の挿入深さが調整される。回転ナット４５３をボルト部材４５１に対して周方向に回転させる場合には、固定ナット４５２を保持して、ボルト部材４５１が回転ナット４５３とともに回転することを防止する。貫通孔４２１へのボルト部材４５１の挿入深さが調整されることによって、調整おもり本体４２と調整おもり本体４３との間の距離が調整される。
【００２４】
一対のボルト部材４４１は、釣合おもり枠１の奥行方向に通しボルト２を挟んでいる。これにより、調整おもり４が釣合おもり枠１から外れてしまうことが防止されている。
【００２５】
次に、調整おもり４Ａの取付手順について説明する。まず、調整おもり本体４１、調整おもり本体４２および調整おもり本体４３を釣合おもり３の上に載せる。その後、連結装置４４および連結装置４５を調整おもり本体４２に取り付ける。このとき、固定ナット４４２と調整おもり本体４２との間に回転ナット４４３が配置され、固定ナット４５２と調整おもり本体４２との間に回転ナット４５３が配置されるようにする。
【００２６】
その後、ボルト部材４４１における調整おもり本体４２からの突出寸法が調整おもり本体４１と調整おもり本体４２との間の寸法よりも短くなるように、回転ナット４４３を周方向に回転させる。また、ボルト部材４５１における調整おもり本体４２からの突出寸法が調整おもり本体４２と調整おもり本体４３との間の寸法よりも短くなるように、回転ナット４５３を周方向に回転させる。
【００２７】
その後、ボルト部材４４１の一端部を穴４１２に挿入し、ボルト部材４５１の一端部を穴４３２に挿入して、ボルト部材４４１およびボルト部材４５１が調整おもり本体４２から引き抜かれる方向に移動するように、回転ナット４４３および回転ナット４５３を周方向に回転させる。これにより、調整おもり４における釣合おもり枠１の幅方向の寸法が伸張する。
【００２８】
突出部４１１および突出部４３１が一対の縦枠１１の凹部１１１に係合するまで、回転ナット４４３および回転ナット４５３を周方向に回転させる。以上により、調整おもり４Ａの取付手順が終了する。
【００２９】
以上説明したように、この発明の実施の形態１に係る調整おもり４によれば、一対の縦枠１１の間に設けられ、釣合おもり枠１の幅方向に間隔をおいて並べられた調整おもり本体４１、調整おもり本体４２および調整おもり本体４３と、調整おもり本体４１と調整おもり本体４２との間の距離が調整可能となるように、調整おもり本体４１と調整おもり本体４２とを連結する連結装置４４と、調整おもり本体４２と調整おもり本体４３との間の距離が調整可能となるように、調整おもり本体４２と調整おもり本体４３とを連結する連結装置４５とを備えているので、釣合おもり枠１の幅方向の寸法が異なるエレベータ釣合おもり装置に用いることができる。その結果、調整おもり４の汎用性を向上させることができる。また、調整おもり４が調整おもり本体４１、調整おもり本体４２および調整おもり本体４３に分割されているので、エレベータ釣合おもり本体に調整おもり４を容易に着脱することができる。
【００３０】
また、連結装置４４は、調整おもり本体４１および調整おもり本体４２に着脱可能となっており、連結装置４５は、調整おもり本体４２および調整おもり本体４３に着脱可能となっているので、調整おもり本体４１、調整おもり本体４２および調整おもり本体４３のそれぞれを別々に釣合おもり３の上に載せることができる。
【００３１】
また、連結装置４４は、調整おもり本体４１と調整おもり本体４２とに渡って設けられた一対のボルト部材４４１を有し、連結装置４５は、調整おもり本体４２と調整おもり本体４３とに渡って設けられた一対のボルト部材４５１を有し、一対のボルト部材４４１および一対のボルト部材４５１は、釣合おもり枠１の奥行方向に通しボルト２を挟むので、調整おもり４が釣合おもり枠１から外れてしまうことを防止することができる。
【００３２】
なお、上記実施の形態１では、回転ナット４４３および回転ナット４５３が周方向に回転することによって、貫通孔４２１へのボルト部材４４１およびボルト部材４５１の挿入深さが調整される構成について説明したが、これに限らず、例えば、貫通孔４２１の内壁にねじ溝を形成し、ボルト部材４４１およびボルト部材４５１が周方向に回転することによって、貫通孔４２１へのボルト部材４４１およびボルト部材４５１の挿入深さが調整される構成であってもよい。これにより、調整おもり４Ａにおける釣合おもり枠１の幅方向についての寸法を容易に調整することができる。
【００３３】
また、上記実施の形態１では、ボルト部材４４１の一端部が穴４１２の底面に当接し、ボルト部材４５１の一端部が穴４３２の底面に当接する構成について説明したが、これに限らず、調整おもり本体４１と固定ナット４４２との間であって調整おもり本体４１に当接する回転ナットと、調整おもり本体４３と固定ナット４５２との間であって調整おもり本体４３に当接する回転ナットとを備えた構成であってもよい。
【００３４】
また、上記実施の形態１では、貫通孔４２１へのボルト部材４４１およびボルト部材４５１の挿入深さを調整することによって、調整おもり４における釣合おもり枠１の幅方向についての寸法を調整する構成について説明したが、穴４１２へのボルト部材４４１の挿入深さおよび穴４３２へのボルト部材４５１の挿入深さを調整することによって、調整おもり４における釣合おもり枠１の幅方向についての寸法を調整する構成であってもよい。この場合、調整おもり本体４１および調整おもり本体４３に当接する回転ナットを用いたり、または、穴４１２および穴４３２の内壁にねじ溝を形成したりしてもよい。これにより、調整おもり４における釣合おもり枠１の幅方向についての寸法を容易に調整することができる。
【００３５】
また、上記実施の形態１では、１個の調整おもり４Ａを備えたエレベータ釣合おもり装置について説明したが、複数の調整おもり４Ａを備えたエレベータ釣合おもり装置であってもよい。
【００３６】
実施の形態２．
図３はこの発明の実施の形態２に係る調整おもり４Ｂを示す平面図である。図において、調整おもり４Ｂは、一対の縦枠１１の間に設けられ釣合おもり枠１（図１）の幅方向に間隔をおいて並べられた調整おもり本体４６および調整おもり本体４７と、調整おもり本体４６と調整おもり本体４７とを連結する連結装置４８とを備えている。
【００３７】
調整おもり本体４６には、一方の縦枠１１の凹部１１１に係合するように幅方向外側に突出した突出部４６１が形成されている。突出部４６１が凹部１１１に係合することによって、調整おもり本体４６は、釣合おもり枠１の奥行方向についての移動が規制される。また、調整おもり本体４６は、釣合おもり枠１の幅方向外側についての移動も縦枠１１によって規制される。
【００３８】
また、調整おもり本体４６には、突出部４６１から釣合おもり枠１の幅方向内側に延びた溝４６２が形成されている。溝４６２には、通しボルト２が挿入されている。これにより、調整おもり本体４６が釣合おもり枠１から外れてしまうことが防止される。
【００３９】
また、調整おもり本体４６における調整おもり本体４７側の面には、２個の穴４６３が形成されている。２個の穴４６３は、釣合おもり枠１の奥行方向に離れて配置されている。それぞれの穴４６３は、釣合おもり枠１の幅方向に延びて形成されている。
【００４０】
調整おもり本体４７には、調整おもり本体４６と同様に、他方の縦枠１１の凹部１１１に係合するように、縦枠１１に向かって突出した突出部４７１が形成されている。突出部４３１が凹部１１１に係合することによって、調整おもり本体４７は、釣合おもり枠１の奥行方向についての移動が規制される。また、調整おもり本体４７は、釣合おもり枠１の幅方向外側についての移動も縦枠１１によって規制される。
【００４１】
また、調整おもり本体４７には、突出部４７１から釣合おもり枠１の幅方向内側に延びた溝４７２が形成されている。溝４７２には、通しボルト２が挿入されている。これにより、調整おもり本体４７が釣合おもり枠１から外れてしまうことが防止される。
【００４２】
また、調整おもり本体４７における調整おもり本体４６側の面には、２個の穴４７３が形成されている。２個の穴４７３は、釣合おもり枠１の奥行方向に離れて配置されている。それぞれの穴４７３は、釣合おもり枠１の幅方向に延びて形成されている。
【００４３】
連結装置４８は、調整おもり本体４６と調整おもり本体４７とに渡って設けられた一対のボルト部材４８１と、それぞれのボルト部材４８１に固定された固定ナット４８２と、それぞれのボルト部材４８１に一対ずつ回転可能に設けられた回転ナット４８３とを有している。
【００４４】
それぞれのボルト部材４８１には、固定ナット４８２を挟むように一対の回転ナット４８３が取り付けられている。それぞれのボルト部材４８１に取り付けられた回転ナット４８３の中で、調整おもり本体４６と固定ナット４８２との間に配置された回転ナット４８３は、調整おもり本体４６に当接している。これにより、ボルト部材４８１が穴４６３に挿入される方向についてのボルト部材４８１の移動が規制され、穴４６３へのボルト部材４８１の挿入深さが決められる。回転ナット４８３がボルト部材４８１に対して回転することによって、穴４６３へのボルト部材４８１の挿入深さが調整される。一方、それぞれのボルト部材４８１に取り付けられた回転ナット４８３の中で、調整おもり本体４７と固定ナット４８２との間に配置された回転ナット４８３は、調整おもり本体４７に当接している。これにより、ボルト部材４８１が穴４７３に挿入される方向についてのボルト部材４８１の移動が規制され、穴４７３へのボルト部材４８１の挿入深さが決められる。回転ナット４８３がボルト部材４８１に対して回転することによって、穴４７３へのボルト部材４８１の挿入深さが調整される。その他の構成は、実施の形態１と同様である。
【００４５】
以上説明したように、この発明の実施の形態２に係る調整おもり４Ｂによれば、一対の縦枠１１の間に設けられ、釣合おもり枠１の幅方向に間隔をおいて並べられた調整おもり本体４６および調整おもり本体４７と、調整おもり本体４６と調整おもり本体４７との間の距離が調整可能となるように、調整おもり本体４６と調整おもり本体４７とを連結する連結装置４８とを備えているので、釣合おもり枠１の幅方向の寸法が異なるエレベータ釣合おもり装置に用いることができる。その結果、調整おもり４の汎用性を向上させることができる。
【００４６】
なお、上記実施の形態２では、回転ナット４８３が周方向に回転することによって、穴４６３および穴４７３へのボルト部材４８１の挿入深さが調整される構成について説明したが、これに限らず、例えば、穴４６３または穴４７３の内壁にねじ溝を形成し、ボルト部材４８１が周方向に回転することによって、穴４６３または穴４７３へのボルト部材４８１の挿入深さが調整される構成であってもよい。これにより、調整おもり４Ｂにおける釣合おもり枠１の幅方向についての寸法を容易に調整することができる。
【００４７】
また、上記実施の形態１では、固定ナット４８２を挟むように一対の回転ナット４８３がボルト部材４８１に取り付けられた構成について説明したが、これに限らず、調整おもり本体４６と固定ナット４８２との間または調整おもり本体４７と固定ナット４８２との間の何れか一方に位置するボルト部材４８１の部分にのみ回転ナット４８３を取り付けて、固定ナット４８２との間に回転ナット４８３が配置されていない調整おもり本体４６の穴４６３または調整おもり本体４７の穴４７３の底面にボルト部材４８１の端部が当接する構成であってもよい。
【００４８】
また、上記実施の形態２では、１個の調整おもり４Ｂを備えたエレベータ釣合おもり装置について説明したが、複数の調整おもり４Ｂを備えたエレベータ釣合おもり装置であってもよい。
【符号の説明】
【００４９】
１  釣合おもり枠、２  通しボルト、３  釣合おもり、４Ａ、４Ｂ  調整おもり（エレベータ釣合おもり装置用調整おもり）、１１  縦枠、１２  上枠、１３  下枠、４１  調整おもり本体、４２  調整おもり本体、４３  調整おもり本体、４４  連結装置、４５  連結装置、４６  調整おもり本体、４７  調整おもり本体、４８  連結装置、１１１  凹部、４１１  突出部、４１２  穴、４２１  貫通孔、４３１  突出部、４３２  穴、４４１  ボルト部材、４４２  固定ナット、４４３  回転ナット、４５１  ボルト部材、４５２  固定ナット、４５３  回転ナット、４６１  突出部、４６２  溝、４６３  穴、４７１  突出部、４７２  溝、４７３  穴、４８１  ボルト部材、４８２  固定ナット、４８３  回転ナット。
【図１】
0005975954.tif 000002
【図２】
0005975954.tif 000003
【図３】
0005975954.tif 000004